(57)【要約】【課題】従来の試験装置での測定は、操作者が試験装置の操作マニュアルを見なければ測定が困難であった。  本発明の目的は、測定装置の操作者が測定装置の操作マニュアルを見なくても被試験器の調整が行え、かつ被試験器の測定を行えることである。【解決手段】本発明の測定装置は、電子機器の調整項目に応じて調整手順を表示する表示手段と、電子機器から出力する出力信号を測定する測定手段と、測定手段で測定した測定値の良否を判定する判定手段と、鳴音発生手段を備え、判定手段は、測定値の良否結果を表示手段に表示すると共に鳴音発生手段から鳴音させることを特徴とする。【選択図】  図１
2010054319.tif 000002
【特許請求の範囲】
【請求項１】
試験対象の電子機器からの出力信号を測定する測定装置において、
前記電子機器の調整項目に応じて調整手順を表示する表示手段と、前記電子機器から出力する出力信号を測定する測定手段と、前記測定手段で測定した測定値の良否を判定する判定手段と、鳴音発生手段を備え、
前記判定手段は、前記測定値の良否結果を前記表示手段に表示すると共に前記鳴音発生手段から鳴音させることを特徴とする測定装置。
【請求項２】
測定装置を使用して試験対象の電子機器の調整を行う被試験器の調整方法において、
前記電子機器の調整項目に応じて調整手順を表示し、前記電子機器からの出力信号を測定し、該測定した測定値の良否を判定し、該判定内容を表示すると共に判定結果を鳴音発生手段から鳴音させることを特徴とする測定装置を使用しての被試験器の調整方法。
【発明の詳細な説明】
【技術分野】
【０００１】
本発明は、測定装置に係わり、特に測定装置を使用しての被試験器の調整方法に関するものである。
【背景技術】
【０００２】
従来、試験装置は、複数の測定器から適切な測定器を選択して、選択した測定器を用いて被試験器を測定していた（例えば、特許文献１参照。）。
【特許文献１】特開２００６−１３２９９９号公報
【発明の開示】
【発明が解決しようとする課題】
【０００３】
従来の試験装置での測定は、操作者が試験装置の操作マニュアルを見なければ測定が困難であった。
本発明の目的は、測定装置の操作者が測定装置の操作マニュアルを見なくても被試験器の調整が行え、かつ被試験器の測定を行えることである。
【課題を解決するための手段】
【０００４】
本発明の測定装置は、電子機器の調整項目に応じて調整手順を表示する表示手段と、電子機器から出力する出力信号を測定する測定手段と、測定手段で測定した測定値の良否を判定する判定手段と、鳴音発生手段を備え、判定手段は、測定値の良否結果を表示手段に表示すると共に鳴音発生手段から鳴音させることを特徴とする。
【０００５】
また、本発明の測定装置を使用しての被試験器の調整方法は、電子機器の調整項目に応じて調整手順を表示し、電子機器からの出力信号を測定し、測定した測定値の良否を判定し、判定内容を表示すると共に判定結果を鳴音発生手段から鳴音させることを特徴とする。
【発明の効果】
【０００６】
本発明の測定装置によれば、操作者が測定装置の操作マニュアルを見なくても、表示部上の表示を見ながら操作することにより、被試験器の調整が行え、かつ被試験器の測定および測定結果の判定を行うことが可能となる。
【発明を実施するための最良の形態】
【０００７】
本発明の一実施例を図１〜図３を用いて説明する。図１は本発明の一実施例である測定装置の動作を説明するためのブロック図である。
【０００８】
図１において、測定装置１１は、無線機等の被試験器４１毎に決められた調整内容に応じて表示を行い、操作者は表示内容に従って被試験器の調整を行えるものである。
【０００９】
測定装置１１は、測定装置１１の全体の制御と被試験器４１の制御用インタフェース経由で測定条件等を入力するための操作信号を出力する制御部１と、スピーカ２と、被試験器４１から出力される出力信号である試験信号２１を測定する測定部４−１〜４−Ｎと、被試験器４１と測定部４−１〜４−Ｎ間の測定経路の切替えを行う切替部５と、調整方法や測定値および調整値の判定結果を表示する表示部３を備えている。
【００１０】
本発明の一実施例の詳細な動作を図１を用いて説明する。
測定装置１１は被試験器４１の調整項目に応じて調整内容と測定値の表示を行う。被試験器の調整を行うため、制御部１は表示部３で選択した操作信号２２を出力して被試験器４１に対して測定条件等を入力する。制御部１はＣＰＵ（Central Processing Unit）等のプロセッサから構成されていて、調整に際しては被試験器４１の動作制御と、測定部４−１〜４−Ｎの選択および測定した測定値の取得と、調整値の良否判定を行う。
【００１１】
図２は、本発明の一実施例である表示部３に表示した被試験器４１の調整方法を説明するための図である。
操作者は、例えば図２の表示部３の「機器名」のプルダウンメニューから被試験器４１として設置してある“無線機Ａ”と、「ユニット名」のプルダウンメニューから“送受信部”をポインティングデバイス等で選択することにより、制御部１は選択した内容に応じて、表示部３に「調整項目」欄に調整項目を表示する。更に「調整項目」欄の“送信出力”をポインティングデバイス等で選択することにより、制御部１は表示部３に「機器設定」欄と「電源入力」欄に選択した内容に応じてした項目を表示する。
【００１２】
次に、図２と図３を用いて本発明の一実施例である動作を説明する。
図３は、本発明の一実施例である表示部３に被試験器４１の調整手順と測定値を表示するためのフローチャートである。
【００１３】
操作者が例えば被試験器４１の調整を開始したい場合、制御部１が表示部３の「調整手順」欄に手順を表示するので、その手順に従えば調整等が容易に行える。
【００１４】
操作者が表示部３の「機器名」欄と、「ユニット名」欄と、「調整項目」欄から所望の内容をポインティングデバイス等で選択すると、制御部１は図３のフローチャートの“調整開始”の処理を開始する。
【００１５】
調整手順は、操作者が実施する手順を分割し、操作者の指示により１手順ずつ実施可能な状態となるようにする。
調整手順は大きく分けて前処理、調整処理、後処理から構成され、操作者が１手順ずつ操作を実行後、“次項目”ボタンを押下することにより、次の手順に移行する。
【００１６】
制御部１は、図３のステップＳ１の処理で表示部３の「調整手順」欄に“開始”を表示し、ステップＳ２の処理に進む。ステップＳ２で“次項目”ボタンが押下されたかを判定し、“次項目”ボタンが押下されていない場合はステップＳ２の処理に戻り、“次項目”ボタンが押下された場合はステップＳ３の処理に進み、ステップＳ３でｎに数値“１”を設定してステップＳ４の処理に進む。ステップＳ３のｎは前処理のステップ数である。ステップＳ４で表示部３の「調整手順」欄に“手順１（前処理＋ｎ）”を表示し、ステップＳ５の処理に進む。図２の「調整手順」欄は前処理のステップ数が“１”の場合である。
【００１７】
操作者は表示部３の「調整手順」欄に表示された手順１（前処理）に従い、（１）電源を“切”に設定し、（２）無線機Ａのカバーを取り外し、（３）電源を“入”に設定して、表示部３の“次項目”ボタンを押下する。
【００１８】
操作者が電源を“入”に設定した場合、制御部１は表示部３の「機器状態」欄に“電源投入中”を表示する。操作者が電源を“切”に設定した場合、制御部１は表示部３の「機器状態」欄に“電源断”を表示する。
【００１９】
制御部１は、ステップＳ５の処理で“次項目”ボタンが押下されたかを判定し、“次項目”ボタンが押下されていない場合はステップＳ４の処理に戻り、“次項目”ボタンが押下された場合はステップＳ６の処理に進む。操作者は“次項目”ボタンを押下したため、ステップＳ６の処理に進む。
【００２０】
制御部１は、ステップＳ６の処理で全ての前処理が完了したかを判定し、全ての前処理が完了した場合はステップＳ８の処理に進み、全ての前処理が完了していない場合はステップＳ７の処理に進む。ステップＳ７の処理でｎに数値“ｎ＋１”を設定してステップＳ４の処理に戻る。本一実施例では前処理のステップ数が“１”であるため、制御部１はステップＳ８の処理に進む。
【００２１】
制御部１は、ステップＳ８の処理で表示部３の「調整手順」欄に“手順２（調整処理）”を表示し、ステップＳ９の処理に進む。ステップＳ９の処理で被試験器４１の現在の測定値を選択した測定部４−１〜４−Ｎから取得して、表示部３の「初期値」欄に“０．０”を表示して、ステップＳ１０の処理に進む。
【００２２】
操作者は表示部３の「調整手順」欄に表示された手順２（調整処理）に従い、「調整箇所」欄から“ＶＲ１０１”の位置を確認して、無線機Ａの送受信部の（１）ＶＲ１０１を可変して送信出力を仕様値の１０．０〜２０．０Ｗ内に調整して、表示部３の“次項目”ボタンを押下する。
【００２３】
制御部１は、ステップＳ１０の処理で“次項目”ボタンが押下されたかを判定し、“次項目”ボタンが押下されていない場合はステップＳ１１の処理に進み、“次項目”ボタンが押下された場合はステップＳ１８の処理に進む。ステップＳ１１の処理で“次項目”ボタンが押下されてからのタイマ値（時間）を取得し、このタイマ値（時間）が所定時間（ここでは１秒とする）を経過したかを判定し、所定時間が経過していない場合はステップＳ１１の処理に戻り、所定時間が経過した場合はステップＳ１２の処理に進む。
【００２４】
制御部１は、ステップＳ１２の処理で被試験器４１の測定値を選択した測定部４−１〜４−Ｎから取得して、表示部３の「測定値」欄に“１５．０”を表示して、ステップＳ１３の処理に進む。ステップＳ１３の処理で取得した測定値が仕様値の１０．０〜２０．０Ｗ内であるかを判定し、測定値が仕様値内である場合はステップＳ１４の処理に進み、測定値が仕様値外である場合はステップＳ１６の処理に進む。
【００２５】
通常、操作者が調整する場合、所定時間の１秒はすぐに経過するため、表示部３の「測定値」欄には常に測定値が表示されるため、調整が容易になる。
【００２６】
制御部１は、ステップＳ１４の処理で表示部３の「測定値」欄の背景色を白色表示（正常）し、ステップＳ１５の処理でスピーカ２から正常音（間欠音）を鳴音させて、ステップＳ１０の処理に戻る。
【００２７】
制御部１は、ステップＳ１６の処理で表示部３の「測定値」欄の背景色を赤色表示（エラー）し、ステップＳ１７の処理でスピーカ２からエラー音（連続音）を鳴音させて、ステップＳ１０の処理に戻る。
スピーカ２から鳴音させる音は、正常時とエラー時で操作者が判別できれば良い。そのため、正常時は低音で、エラー時は高音でも良い。
【００２８】
操作者は、表示部３の「測定値」欄の背景色と音により、測定値の良否を視覚および聴覚で確認可能となる。
【００２９】
制御部１は、ステップＳ１０の処理で“次項目”ボタンが押下されたため、ステップＳ１８の処理に進む。ステップＳ１８の処理で表示部３の「調整手順」欄に“手順３（後処理）”を表示し、ステップＳ１９の処理に進む。ステップＳ１９の処理で“次項目”ボタンが押下されたかを判定し、“次項目”ボタンが押下されていない場合はステップＳ１９の処理に進み、“次項目”ボタンが押下された場合はステップＳ２０の処理に進む。
【００３０】
操作者は表示部３の「調整手順」欄に表示された手順３（後処理）に従い、（１）電源を“切”に設定し、（２）無線機Ａのカバーを取り付け、（３）電源を“入”に設定して、表示部３の“次項目”ボタンを押下する。
【００３１】
制御部１は、ステップＳ２０の処理で表示部３の「調整手順」欄に“終了”を表示して制御を終了する。
【００３２】
本発明の測定装置は、操作者が測定装置の操作マニュアルを見なくても、表示部上の表示を見ながら操作することにより、被試験器の調整が行え、かつ被試験器の測定および測定結果の判定を行うことが可能となる。
【００３３】
上述の制御部１はＰＣ（パーソナルコンピュータ）でも良い。
以上本発明について詳細に説明したが、本発明は、ここに記載された測定装置に限定されるものではなく、上記以外の測定装置等に広く適用することができることは言うまでもない。
【図面の簡単な説明】
【００３４】
【図１】本発明の一実施例である測定装置の動作を説明するためのブロック図である。
【図２】本発明の一実施例である表示部に表示した被試験器の調整方法を説明するための図である。
【図３】本発明の一実施例である表示部に被試験器の調整手順と測定値を表示するためのフローチャートである。
【符号の説明】
【００３５】
１：制御部、２：スピーカ、３：表示部、４−１〜４−Ｎ，５：切替部、１１：試験装置、４１：被試験器、２１：試験信号、２２：操作信号。
【図１】
2010054319.tif 000003
【図２】
2010054319.tif 000004
【図３】
2010054319.tif 000005